(57)【要約】【課題】  記録ヘッドやインク流路の回復を行った場合、ある程度の吐出を行っているうちに記録ヘッド内及びインク流路内に泡が発生して溜まってしまい、画像形成不良やヘッド故障を起こすため、気泡を発生させずにインクの充填やインク中に発生した気泡の除去を行える回復方法を提供することを目的とする。【解決手段】  吸引ポンプでヘッドおよびインク流路を負圧にし、負圧タンクを用いてヘッド及びインク流路の負圧を維持し、インクを流し込むことにより、泡の入らない回復を行う。さらにヘッドノズルからインクを吸引又はポンプの圧力による排出を行わない為、回復桶の構造をシンプルにできることにより、回復桶の小型化ができ、且つ、インクがほとんど空気に触れない為、インクリサイクルを行う場合、ゴミの混入や水分蒸発による増粘を防ぐことができ、画像品質の安定化が図れる。【選択図】  図３
2007313817.tif 000002
【特許請求の範囲】
【請求項１】
記録媒体にインクを吐出して画像形成する記録ヘッドと、前記記録ヘッドからインクを吐出するノズルと、前記ノズルから形成されたノズル形成面と、前記ノズルまたはノズル近傍に接触して前記ノズルを密閉する密閉部材と、インク流路を所定以上の負圧にすることの出来る吸引ポンプと、前記所定以上の負圧を維持することの出来る負圧タンクと、前記所定以上の負圧にした後にインク流路に空気を取り込むことの出来る弁と同じく負圧になった時にインクを取り込むことができる弁とを有し、予め決められたシーケンスにより前記インク流路及び記録ヘッド内の泡等を取り除く為、前記インク流路及び記録ヘッド内のインクを吸引し、前記所定以上の負圧になった後にインク流路に前記弁より所定空気を取り込み前記インク流路及び前記記録ヘッド内を一旦インクのない状態にした後、再度、前記インク流路及び前記記録ヘッド内を吸引し、前記所定以上の負圧になった後に前記インクを取り込むことができる弁よりインクを流し込み、前記インク流路及び前記記録ヘッド内にインクが充填されることで、記録ヘッドを回復する回復機構を備えたことを特徴とする画像形成装置。
【請求項２】
前記インク流路及び前記記録ヘッド内に空気を取り込むための弁とインクを取り込む弁は予め決められたシーケンスにより自動的に開閉するものであることを特徴とする請求項１に記載の画像形成装置。
【請求項３】
前記インク流路及び前記記録ヘッド内のインクを吸引し、空気を前記インク流路及び前記記録ヘッド内に取り込んだ際のインクをインクタンクに戻し、再使用することを特徴とする請求項１又は２に記載の画像形成装置。
【請求項４】
前記インク流路及び前記記録ヘッド内のインクを前記吸引ポンプと前記負圧タンクにより吸引し、前記インク流路及び前記記録ヘッド内に空気を取り込んだ状態で取り除いたインクを自動的に前記インクタンクに戻し、再使用することを特徴とする請求項１又は２に記載の画像形成装置。
【請求項５】
前記記録ヘッドのインク流路と各色のインクタンクとの間に各色のサブタンクを設け、前記各色のインクタンクと前記各色のサブタンクの間にインク内の溶存気体を減少させる為の脱気装置を設けたことを特徴とする請求項１〜４に記載の画像形成装置。
【発明の詳細な説明】
【技術分野】
【０００１】
本発明は、画像形成装置本体に装着された記録ヘッド及びインク流路からインク内の気泡を除去する回復機構に関する。
【背景技術】
【０００２】
記録紙などの記録媒体にインクを吐出して画像を形成するインクジェット方式の画像形成装置が広く使用されている。この画像形成装置は、インクを吐出するノズルやインク吐出口（ノズルの出口）が複数形成された記録ヘッドを装着しており、複数のインク吐出口は記録ヘッドのインク吐出面に形成されている。
【０００３】
この記録ヘッドには、キャリッジと共に主走査方向に移動しながらインクを吐出するタイプと、固定されて停止した状態でインクを吐出するタイプとがある。
【０００４】
上記いずれのタイプの記録ヘッドであっても、インクを加圧もしくは吸引を行い、インクの流量によって記録ヘッド及びインク流路内の泡を流し、回復動作を実施していた。
【発明の開示】
【発明が解決しようとする課題】
【０００５】
しかし、上記のようにして記録ヘッドやインク流路の回復を行った場合、ある程度の吐出を行っているうちに記録ヘッド内及びインク流路内に泡が発生して溜まってしまい、画像形成不良やヘッド故障を起こす原因となる。
【０００６】
また、ポンプ等を利用してインクを印字ヘッドやインク流路に供給する際に、インクは攪拌されることとなって空気と混合しながら供給されるので、溶存気体を脱気したインクを使用した場合でも、回復時にインク内に気泡が取り込まれるため、脱気インクの効果が十分発揮できなくなってしまう。
【０００７】
さらに、記録ヘッド内等のインク流路の形状によって、泡が抜けない場合があり、その泡の影響により記録ヘッドに形成されている吐出ノズルのメニスカスが不安定になり、画像品質の低下もしくは記録ヘッド故障を起こすこともある。
【０００８】
さらに記録ヘッド内部及びインク流路内に泡が残っている場合、印字等でインクを使用した時に記録ヘッド内のインクが補充されなくなり、印字かすれや記録ヘッドの故障を引き起こすこともある。
【０００９】
このため、頻繁に記録ヘッド内から気泡が排出されるまでインクを循環もしくは吸引させる回復動作を行う。この回復動作が印字中に入ってしまうと、印字を停止して回復を行う必要があるのでスループットの低下の原因になる。
しかも、インクのリサイクル機構を備えていない画像形成装置では、回復動作によってインクを大量に消費してしまう。
【００１０】
インクのリサイクル機構を備えた画像形成装置では、ノズルから出たインクはキャップ内で大気にさらされるため、インク内の水分が蒸発し、インクが増粘するために色の変化、さらにインクの流抵抗の上昇が発生し、正常に回復が行われず、画像品質が低下することがあった。
【００１１】
本発明は、気泡を発生させずにインクの充填やインク中に発生した気泡の除去を行える回復方法を提供することを目的とする。
【課題を解決するための手段】
【００１２】
請求項１の発明は、記録媒体にインクを吐出して画像形成する記録ヘッドと、前記記録ヘッドからインクを吐出するノズルと、前記ノズルから形成されたノズル形成面と、前記ノズルまたはノズル近傍に接触して前記ノズルを密閉する密閉部材と、インク流路を所定以上の負圧にすることの出来る吸引ポンプと、前記所定以上の負圧を維持することの出来る負圧タンクと、前記所定以上の負圧にした後にインク流路に空気を取り込むことの出来る弁と同じく負圧になった時にインクを取り込むことができる弁とを有し、予め決められたシーケンスにより前記インク流路及び記録ヘッド内の泡等を取り除く為、前記インク流路及び記録ヘッド内のインクを吸引し、前記所定以上の負圧になった後にインク流路に前記弁より所定空気を取り込み前記インク流路及び前記記録ヘッド内を一旦インクのない状態にした後、再度、前記インク流路及び前記記録ヘッド内を吸引し、前記所定以上の負圧になった後に前記インクを取り込むことができる弁よりインクを流し込み、前記インク流路及び前記記録ヘッド内にインクが充填されることで、記録ヘッドを回復する回復機構を備えたことを特徴とする画像形成装置。
【００１３】
請求項２の発明は、請求項１の画像形成装置において、前記インク流路及び前記記録ヘッド内に空気を取り込むための弁とインクを取り込む弁は予め決められたシーケンスにより自動的に開閉するものであることを特徴とする。
【００１４】
請求項３の発明は、請求項１又は２の画像形成装置において、前記インク流路及び前記記録ヘッド内のインクを吸引し、空気を前記インク流路及び前記記録ヘッド内に取り込んだ際のインクをインクタンクに戻し、再使用することを特徴とする。
【００１５】
請求項４の発明は、請求項１又は２の画像形成装置において、前記インク流路及び前記記録ヘッド内のインクを前記吸引ポンプと前記負圧タンクにより吸引し、前記インク流路及び前記記録ヘッド内に空気を取り込んだ状態で取り除いたインクを自動的に前記インクタンクに戻し、再使用することを特徴とする。
【００１６】
請求項５の発明は、請求項１〜４の画像形成装置において、前記記録ヘッドのインク流路と各色のインクタンクとの間に各色のサブタンクを設け、前記各色のインクタンクと前記各色のサブタンクの間にインク内の溶存気体を減少させる為の脱気装置を設けたことを特徴とする。
【発明の効果】
【００１７】
以上説明したように、本発明によれば、流路形状に影響されずに泡がない状態で溶存気体の溶融量の少ない脱気インクを記録ヘッド及びインク流路に満たすことができ、さらに吸引ポンプで記録ヘッド及びインク流路より回収したインクも大気にほとんど触れない為、再利用する場合も水分が蒸発しての増粘や変質等問題もなくなる為、画像品質の安定化が図れる。
【発明を実施するための最良の形態】
【００１８】
以下に、本発明の実施形態について図面を使用して、詳細に説明する。
【実施例１】
【００１９】
図１から図４を参照して、本発明が適用されるインクジェット方式の画像形成装置を説明する。
【００２０】
図１は、本発明が適用されたインクジェット画像形成装置の概略構成を示す斜視図である。図２は図１の概略構成を示す側面図である。図３は本発明が適用されたインクジェット画像形成装置のインク流路の簡略図である。図４は図３のＡ−Ａにおける記録ヘッドおよび回復機構部の断面図である。
【００２１】
図１のようにプリンタ１０には、記録紙などの記録媒体にインクを吐出して画像を形成する画像形成ユニット２０（記録ヘッド１２ａ，１２ｂ，１２ｃ，１２ｄ，１２ｅ，１２ｆが搭載：図２参照）と、記録媒体を矢印Ａ方向（記録媒体搬送方向）に搬送する搬送ユニット４０とが備えられている。
【００２２】
本実施例では、記録ヘッド１２aの構成を代表例として説明するが、他の記録ヘッド１２ｂ〜１２ｆも同様の構成になっており、各記録ヘッドに使用するインクとシーケンスを変更することにより単色からフルカラープリンタまでに使用することが可能である。
【００２３】
画像形成ユニット２０には、記録ヘッド１２ａ、各記録ヘッド１２ａ〜１２ｆをキャップ位置、記録位置、ワイプ位置に移動させる為のヘッド昇降モータ（図示せず）、記録ヘッド１２ａのインク吐出面に付着した埃や残滴を払拭するワイパーブレード２１ａ、ヘッドを密閉するためのノズル密閉キャップ２２ａ、記録ヘッド１２ａのインク吐出面に形成された吐出ノズルから記録紙に印字する前などに吐出ノズルのインクのメニスカスを安定させる為、インクを予め吐出した時のインクを受けるための予備吐受け２３ａを備えている。（図４参照）
【００２４】
搬送ユニット４０は、画像形成ユニット２０の下方を、記録媒体を通過させる４本の搬送ベルト４２を備えている。搬送ベルト４２は、図２に示すように、従動ローラ４４，４５，４６とエンコーダローラ４７、駆動ローラ４８とに掛け渡されており、テンショナ４９によって張力が与えられている。
【００２５】
また、この搬送ベルト４２は、駆動モータ４１よって周回運動するタイミングベルト４３が駆動ローラ４８を回転させることによって、記録媒体搬送方向（矢印Ａ方向）に周回運動するように構成されている。
【００２６】
また、プリンタ１０には、画像形成ユニット２０にインクを供給するインク供給ユニット５０と、このインク供給ユニット５０に送られるインクが貯められたインクタンクユニット６０とを備えている。（図１及び図３参照）
【００２７】
図３のように、インク供給ユニット５０には負圧タンク５１、負圧タンクの内圧を測定する為の負圧センサＭ１、負圧タンク内のインクの量を検知するインク検知センサＳ１、弁Ｖ１〜Ｖ７、サブタンク５２、サブタンク内のインクの量を検知するインク検知センサＳ２、フィルタＦ１〜Ｆ４、ポンプＰ１〜Ｐ３、サブタンク５２から記録ヘッド１２aまでのインク流路５３、記録ヘッド１２aから負圧タンク５１までのインク流路５４、負圧タンク５１からインクタンク６０までのインク流路５５、インクタンク６０からサブタンク５２までのインク流路５６、インクタンク６０の内インクの量を検知するインク検知センサＳ３、インク内の溶存気体をインクから取り除く脱気フィルタ５７が備えられている。
【００２８】
インクタンクユニット６０に貯蔵されたインクはインク供給ユニット５０内のインク循環ポンプＰ２により、吸い上げられ、インク流路５６の途中に設けられた脱気フィルタ５７を通り、サブタンク５２に供給される。
【００２９】
脱気フィルタ５７は、気体は通過できるが液体は通過できないシートでパイプ状の濾過装置を作り、その中にインクを通し、外側をポンプＰ３で負圧にすることにより、インク内の溶存気体をインクから抜き取ることができる。
【００３０】
また、インクをインクタンク６０から供給しない場合でも、サブタンク５２内はサブタンク５２上面に設けられた大気開放口にフィルタＦ２を介して大気開放形になっている。
【００３１】
その為、サブタンク５２内に溜まっているインクが空気に触れ溶存気体が増えないようにサブタンク５２底面に設けられたインク流路５８途中の弁Ｖ７を開き、インク流路５６の弁Ｖ６を閉じ、ポンプＰ２を動作させることにより、サブタンク５２内のインクを常に溶存気体の少ない状態に保つことができる。
【００３２】
プリンタ１０を設置後、又は記録ヘッド１２ａの交換等を行い、記録ヘッド１２ａ内にインクがなく、記録ヘッド１２ａにインクを充填する場合、先ず記録ヘッド１２ａのノズル近傍をノズル密閉キャップ２２ａに圧接させ、弁Ｖ１・Ｖ２・Ｖ５を閉じ、弁Ｖ３・Ｖ４を開く。
【００３３】
次に記録ヘッド１２ａ、インク流路５３・５４、負圧タンク５１内のインク流路を負圧センサＭ１が予め決められた負圧になるまでポンプＰ１を動作させ、負圧センサＭ１が予め決められた負圧を示したら弁Ｖ４を閉じ、ポンプＰ１の動作を停止する。
【００３４】
次に弁Ｖ１を開くことにより、インク流路５３、記録ヘッド１２ａ、インク流路５４、負圧タンク５１の順番にインクが満たされていく。
【００３５】
負圧タンク５１に設けられたインク検知センサＳ１によってインクが検知されると、インク流路５３、記録ヘッド１２ａ、インク流路５４がインクで満たされたと判断し、弁Ｖ３・Ｖ１の順番で閉じ、負圧タンク５１の上部に設けられた大気開放口に取り付けられた弁Ｖ５が開き、空気がフィルタＦ３を通過して入り込み、負圧タンク５１の内部を大気圧に戻す。
【００３６】
その後、弁Ｖ４を開き、ポンプＰ１を動作させることにより、負圧タンク５１に溜まったインクをインクタンク６０に戻して再度使用する。
【００３７】
その後、弁Ｖ１を開き、ノズル密閉キャップ２２ａを記録ヘッド１２ａから離して予備吐受け２３ａを記録ヘッド１２ａのノズル正面に移動させ、予め決められた量のインクを吐出することにより、記録ヘッド１２ａのノズル先端にメニスカスが形成でき、印字可能となる。
【００３８】
次に印字等を行い、記録ヘッド１２ａ及びインク流路５３・５４に泡が溜まったと判断した場合や、長期間印字を行わない等で記録ヘッド１２ａ内のインクをリフレッシュする場合、先ず弁Ｖ１・Ｖ２・Ｖ５を閉じ、弁Ｖ３・Ｖ４を開く。
【００３９】
次に、ポンプＰ１を動作させ、予め決められた時間の後、記録ヘッド１２ａのノズル近傍をノズル密閉キャップ２２ａに圧接させ、弁Ｖ２を開いてフィルタＦ１を介して空気を取り込み、インク流路５３・５４及び記録ヘッド１２ａ内のインクを回収する。
【００４０】
予め決められた時間インク回収を行った後、負圧タンク５１内のインク検知センサＳ１が負圧タンク５１内にインクがないことを確認したら、弁Ｖ２を閉じ、記録ヘッド１２ａ、インク流路５３・５４、負圧タンク５１内のインク流路を負圧センサＭ１が予め決められた負圧になるまでポンプＰ１を動作させ、負圧センサＭ１が予め決められた負圧を示したら弁Ｖ４を閉じ、ポンプＰ１の動作を停止する。
【００４１】
次に弁Ｖ１を開くことにより、インク流路５３、記録ヘッド１２ａ、インク流路５４・負圧タンク５１の順番にインクが満たされていく。負圧タンク５１に設けられたインク検知センサＳ１によってインクが検知されると、インク流路５３、記録ヘッド１２ａ、インク流路５４がインクで満たされたと判断し、弁Ｖ３・Ｖ１の順番で閉じ、負圧タンク５１の上部に設けられた大気開放口に取り付けられた弁Ｖ５が開き、空気がフィルタＦ３を通過して入り込み、負圧タンク５１の内部を大気圧に戻す。
【００４２】
次に、弁Ｖ４を開き、ポンプＰ１を動作させることにより、負圧タンク５１に溜まったインクをインクタンク６０に戻して再度使用する。
【００４３】
その後、弁Ｖ１を開き、ノズル密閉キャップ２２ａを記録ヘッド１２ａから離して予備吐受け２３ａを記録ヘッド１２ａのノズル正面に移動させ、予め決められた量のインクを吐出することにより、記録ヘッド１２ａのノズル先端にメニスカスが形成でき、印字可能となる。
【００４４】
尚、本実施例の画像形成ユニット２０を千鳥状に横に並べることにより幅広の記録媒体に印刷することや、通紙方向に直線状に並べ、印刷速度を上げたり、また、画像形成ユニット２０をキャリッジに搭載し、通紙方向と直交するように動作させ、印字を行うなどのことは容易に想像できる。
【実施例２】
【００４５】
本実施例は、前記実施例１に対し、図５に示すように負圧タンク５１とインクタンク６０を一体構成とした実施例である。
【００４６】
図５に示すように、プリンタ１１０には、画像形成ユニット１２０にインクを供給するインク供給ユニット１５０と、このインク供給ユニット１５０に送られる各色のインクが貯められたインクタンクユニット１６０とを備えている。
【００４７】
インク供給ユニット１５０には弁Ｖ１０１〜Ｖ１０７、サブタンク１５２、サブタンク内のインクの量を検知するインク検知センサＳ１０２、フィルタＦ１０１〜Ｆ１０４、ポンプＰ１０１〜Ｐ１０３、サブタンク１５２から印字ヘッド１１２aまでのインク流路１５３、記録ヘッド１１２aからインクタンク１６０までのインク流路１５４、インクタンクの内圧を測定する為の負圧センサＭ１０１、インクタンク内のインクの量を検知するインク検知センサＳ１０１、インクタンク１６０からサブタンク１５２までのインク流路１５６、インク内の溶存気体をインクから取り除く脱気フィルタ１５７が備えられている。
【００４８】
インクタンクユニット１６０に貯蔵されたインクはインク供給ユニット１５０内のインク循環ポンプＰ１０２により、吸い上げられ、インク流路１５６の途中に設けられた脱気フィルタ１５７を通り、サブタンク１５２に供給される。
【００４９】
脱気フィルタ１５７は、気体は通過できるが液体は通過できないシートでパイプを作り、その中にインクを通し、外側をポンプＰ１０３で負圧にすることにより、インク内の溶存気体をインクから抜き取ることができる。
【００５０】
また、インクをインクタンク１６０から供給しない場合でも、サブタンク１５２内はサブタンク１５２上面に設けられた大気開放口にフィルタＦ１０２を介して大気開放形になっている。
【００５１】
その為、サブタンク１５２内に溜まっているインクが空気に触れ溶存気体が増えないようにサブタンク１５２底面に設けられたインク流路１５８途中の弁Ｖ１０５を開き、インク流路１５６の弁Ｖ１０４を閉じ、ポンプＰ１０２を動作させることにより、サブタンク１５２内のインクを常に溶存気体の少ない状態に保つことができる。
【００５２】
画像形成装置１１０を設置後、又は記録ヘッド１１２ａの交換等を行い、記録ヘッド１１２ａ内にインクがなく、記録ヘッド１１２ａにインクを充填する場合、先ず記録ヘッド１１２ａのノズル近傍をノズル密閉キャップ１２２ａに圧接させ、弁Ｖ１０１・Ｖ１０２を閉じ、弁Ｖ１０３・Ｖ１０６を開く。
【００５３】
次に印字ヘッド１１２ａ、インク流路１５３・１５４、インクタンク１６０内のインク流路を負圧センサＭ１０１が予め決められた負圧になるまでポンプＰ１０１を動作させ、負圧センサＭ１０１が予め決められた負圧を示したら弁Ｖ１０６を閉じ、ポンプＰ１０１の動作を停止する。
【００５４】
次に弁Ｖ１０１を開くことにより、インク流路１５３、記録ヘッド１１２ａ、インク流路１５４の順番にインクが満たされていく。予め決められた時間が経過した後、弁Ｖ１０３を閉じ、インクタンク１６０に設けられた大気開放口に取り付けられた弁Ｖ１０７を開き、空気がフィルタＦ１０４を通過して入り込み、インクタンク１６０の内部を大気圧に戻す。
【００５５】
その後、弁Ｖ１０１を開き、ノズル密閉キャップ１２２ａを記録ヘッド１１２ａから離して予備吐受け１２３ａを記録ヘッド１１２ａのノズル正面に移動させ、予め決められた量のインクを吐出することにより、記録ヘッド１１２ａのノズル先端にメニスカスが形成でき、印字可能となる。
【００５６】
次に印字等を行い、記録ヘッド１１２ａ及びインク流路１５３・１５４に泡が溜まったと判断した場合や、長期間印字を行わない等で記録ヘッド１１２ａ内のインクをリフレッシュする場合、先ず弁Ｖ１０１・Ｖ１０２を閉じ、弁Ｖ１０３・Ｖ１０６を開く。
【００５７】
次に、ポンプＰ１０１を動作させ、予め決められた時間の後、記録ヘッド１１２ａのノズル近傍をノズル密閉キャップ１２２ａに圧接させ、弁Ｖ１０２を開いてフィルタＦ１０１を介して空気を取り込み、インク流路１５３・１５４及び記録ヘッド１１２ａ内のインクを回収する。
【００５８】
予め決められた時間インク回収を行った後、弁Ｖ１０２を閉じ、記録ヘッド１１２ａ、インク流路１５３・１５４、インクタンク１６０内のインク流路を負圧センサＭ１０１が予め決められた負圧になるまでポンプＰ１０１を動作させ、負圧センサＭ１０１が予め決められた負圧を示したら弁Ｖ１０６を閉じ、ポンプＰ１０１の動作を停止する。
【００５９】
次に弁Ｖ１０１を開くことにより、インク流路１５３、記録ヘッド１１２ａ、インク流路１５４の順番にインクが満たされる。予め決められた時間が経過した後、弁Ｖ１０３を閉じ、インクタンク１６０に設けられた大気開放口に取り付けられた弁Ｖ１０７を開き、空気がフィルタＦ１０３を通過して入り込み、インクタンク１６０の内部を大気圧に戻す。
【００６０】
その後、弁Ｖ１０１を開き、ノズル密閉キャップ１２２ａを記録ヘッド１１２ａから離して予備吐受け（図なし）を記録ヘッド１１２ａのノズル正面に移動させ、予め決められた量のインクを吐出することにより、記録ヘッド１１２ａのノズル先端にメニスカスが形成でき、印字可能となる。
【００６１】
尚、本実施例の画像形成ユニット２０をキャリッジに搭載し、通紙方向と直交する方向に動作させ、印字を行うことは容易に想像できる。
【図面の簡単な説明】
【００６２】
【図１】本発明の第１の実施例であるインクジェット画像形成装置の斜視図
【図２】本発明の第１の実施例であるインクジェット画像形成装置の側面図
【図３】本発明の第１の実施例が適用されたインクジェット画像形成装置のインク流路の簡略図
【図４】図３のＡ−Ａにおける記録ヘッドおよび回復機構部の断面図
【図５】本発明の第２の実施例であるインクジェット画像形成装置のインク流路の簡略図
【符号の説明】
【００６３】
１０  プリンタ
１２ａ〜１２ｆ  記録ヘッド
２０  画像形成ユニット
４０  搬送ユニット
２１ａ〜２１ｆ  ワイパーブレード
２２ａ〜２２ｆ  ノズル密閉キャップ
２３ａ〜２３ｆ  予備吐受け
４１  駆動モータ
４２  搬送ベルト
４４,４５,４６  従動ローラ
４７  エンコーダ
４８  駆動ローラ
４９  テンショナ
５０  インク供給ユニット
５１  負圧タンク
５２  サブタンク
５３〜５６  インク流路
５７  脱気フィルタ
６０  インクタンクユニット
Ｆ１〜Ｆ４  フィルタ
Ｍ１  負圧センサ
Ｐ１〜Ｐ３  ポンプ
Ｓ１〜Ｓ３  インク検知センサ
Ｖ１〜Ｖ７  弁
１１０  画像形成装置
１１２ａ〜１１２ｆ  記録ヘッド
１２０  画像形成ユニット
１５０  インク供給ユニット
１５２  サブタンク
１５４，１５６  インク流路
１５７  脱気フィルタ
１６０  インクタンクユニット
Ｆ１０１〜Ｆ１０４  フィルタ
Ｍ１０１  負圧センサ
Ｐ１０１〜Ｐ１０３  ポンプ
Ｓ１０１  インク検知センサ
Ｖ１０１〜Ｖ１０７  弁
【図１】
2007313817.tif 000003
【図２】
2007313817.tif 000004
【図３】
2007313817.tif 000005
【図４】
2007313817.tif 000006
【図５】
2007313817.tif 000007